(57)【特許請求の範囲】
【請求項１】
自動車用の電子制御パネル（１）であって、
第１の静電容量技術からなるタッチセンシティブディスプレイスクリーン（３）と、
前記第１の静電容量技術と異なる第２の静電容量技術からなり、前記タッチセンシティブディスプレイスクリーンと連続したタッチセンシティブ制御表面（５）と、
前記タッチセンシティブディスプレイスクリーン（３）および前記タッチセンシティブ制御表面（５）の共通支持体（３３）と、
を備え、
前記タッチセンシティブディスプレイスクリーン（３）および前記タッチセンシティブ制御表面（５）は、前記電子制御パネルがオフ状態であるときに均質、均一、および略連続した制御面を規定するように前記共通支持体（３３）上に配置されて同一レベルで連結されることを特徴とする、電子制御パネル。
【請求項２】
前記タッチセンシティブディスプレイスクリーン（３）が、無反射ワニスでコーティングされた透明なポリカーボネート部品（１１）で被覆されることを特徴とする、請求項１に記載の自動車用の電子制御パネル。
【請求項３】
前記タッチセンシティブ制御表面（５）が、透明なポリカーボネート部品（１３）を備え、前記ポリカーボネート部品（１３）が、ユーザ（２）と対面するように構成された面とは反対の面上が黒色塗装され、かつ、機能的ピクトグラム（１７）を備えることを特徴とする、請求項１または２に記載の自動車用の電子制御パネル。
【請求項４】
前記ピクトグラム（１７）が、レーザスクラッチングによって作成されることを特徴とする、請求項３に記載の自動車用の電子制御パネル。
【請求項５】
前記タッチセンシティブ制御表面（５）が、ユーザ（２）と対面するように構成された面とは反対の面に接合された静電容量フィルム（１９）を備えることを特徴とする、請求項３または４に記載の自動車用の電子制御パネル。
【請求項６】
前記タッチセンシティブディスプレイスクリーン（３）が、前記タッチセンシティブ制御表面（５）に囲まれることを特徴とする、請求項３または４に記載の自動車用の電子制御パネル。
【請求項７】
前記タッチセンシティブディスプレイスクリーン（３）が、略垂直面に見て、前記タッチセンシティブ制御表面（５）の上方に配置されることを特徴とする、請求項１から５のいずれか一項に記載の自動車用の電子制御パネル。
【請求項８】
前記タッチセンシティブ制御表面（５）が曲線状であることを特徴とする、請求項１から７のいずれか一項に記載の自動車用の電子制御パネル。
【請求項９】
前記タッチセンシティブ制御表面（５）が、前記表面（５）を通過する少なくとも１つの回転制御ボタン（３１）をさらに備えることを特徴とする、請求項１から８のいずれか一項に記載の自動車用の電子制御パネル。
【発明の詳細な説明】
【技術分野】
【０００１】
本発明は、自動車用の電子制御パネルに関する。
【背景技術】
【０００２】
昨今、自動車のインストルメントパネルは、パネル中央に、ディスプレイスクリーン、例えば、ＴＦＴタイプのスクリーンを備え、垂直面に見て下方に、さまざまな機能、例えば、ラジオ、エアコンなどの機能の制御パネルがある。
【０００３】
これらのゾーンは、現行では分離され、機能的に接続されていない。
【０００４】
さらに、このように分離されると、多くの場合、一体感のある美観が得られない。特に、現在では、車両がオフに切り換えられるとき、インストルメントパネルおよびすべての制御パネルが類似するように、一方では均質であり、他方では滑らかな制御表面を得ることが望まれている。
【０００５】
現行の技術では、この外観は得られない。
【発明の概要】
【発明が解決しようとする課題】
【０００６】
本発明の目的は、特に、スイッチオフ状態において、均質であり、車両に最大限の制御機能性を与えうる電子制御パネルを提案することによって、前述した欠点を軽減することである。
【課題を解決するための手段】
【０００７】
以上のことから、本発明の主題は、自動車用の電子制御パネルであって、
クラッチセンシティブスクリーンと、
前記クラッチセンシティブスクリーンと連続したタッチセンシティブ制御表面と、
タッチセンシティブスクリーンおよびタッチセンシティブ制御表面の共通支持体と、
を備え、
タッチセンシティブスクリーンおよびタッチセンシティブ制御表面が、略連続した制御面を規定するように同一レベルで連結する共通支持体に配置されることを特徴とする電子制御パネルである。
【０００８】
したがって、特に、車両がオフに切り換えられるとき、均質かつ滑らかな外観の制御パネルを得ることができる。
【０００９】
この制御パネルは、以下の特徴の１つ以上を単独で、または組み合わせて備えてもよい。
【００１０】
タッチセンシティブスクリーンは、無反射ワニスでコーティングされた透明なポリカーボネート部品で被覆可能である。これにより、スクリーンがオフに切り換えられると、見た目が非常に美しい光沢のある黒色効果が得られる。
【００１１】
別の態様によれば、タッチセンシティブ制御表面は、透明なポリカーボネート部品を備え、この部品は、ユーザと対面するように構成された面とは反対の面上が黒色塗装され、かつ、機能的ピクトグラムを備える。これにより、車両がオフに切り換えられると、スイッチオフ状態の外面の光沢のある外観と完全に適合するつや消し黒色効果が得られる。
【００１２】
また、著しい精度の生産を可能にするタッチセンシティブ制御表面に対してレーザスクラッチングによって作成されたピクトグラムが設けられる。
【００１３】
一実施形態によれば、タッチセンシティブ制御表面は、ユーザと対面するように構成された面とは反対の面に接合された静電容量フィルムを備える。
【００１４】
これは、単純かつ低コストの解決策である。
【００１５】
タッチセンシティブスクリーンがタッチセンシティブ制御表面に囲まれる場合、有用な相乗効果を得ることができる。したがって、スクリーンおよびタッチセンシティブ表面の情報およびタッチセンシティブコントロールを組み合わせることができる。
【００１６】
別の実施形態によれば、略垂直面に見て、タッチセンシティブ制御表面の上方に配置されたタッチセンシティブスクリーンが設けられる。
【００１７】
さらなる別の展開例によれば、タッチセンシティブ制御表面は曲線状である。
【００１８】
次に、ある制御に対して、例えば、ラジオの音量調節の場合、タッチセンシティブ制御表面はまた、前記表面を通過する少なくとも１つの回転制御ボタンを備える。
【００１９】
本発明の他の特徴および利点は、添付の図面に対して、本質的に制限することなく、一例として与えられる以下の記載から明らかになるであろう。
【図面の簡単な説明】
【００２０】
【図１】本発明による電子制御パネルの側面断面図。
【図２】図１の底面部の側面断面図。
【図３】図１および図２の実施形態の斜視図を示す図。
【図４】別の実施形態の斜視図を示す図。
【発明を実施するための形態】
【００２１】
すべての図において、同じ要素は同じ参照番号を有する。
【００２２】
図１は、本発明による電子制御パネル１の側面断面図を示す。ユーザ２の目も図示されている。
【００２３】
このパネルは、例えば、自動車のインストルメントパネル、特に、パネル中央に組み込み可能である。
【００２４】
この制御パネルは、主に、２つの部分、略垂直面に見られる上部ＰＨおよび下部ＰＢを備える。このように、例えば、運転者が座席から顔の向きをわずかに変えると、視線が上部ＰＨに向けられ、引き続き、顔をわずかに下に向けると、視線は下部ＰＢに向けられる。
【００２５】
上部ＰＨは、タッチセンシティブスクリーン３を備え、下部ＰＢは、本発明を良好に説明するように図に誇張して表示した接合箇所Ｊで前記タッチセンシティブスクリーンと連続したタッチセンシティブ制御表面５を備える。
【００２６】
タッチセンシティブスクリーン３は、例えば、情報データまたは制御ディスプレイスクリーン７と、ユーザによるコマンド入力用制御表面を有する静電容量タッチセンシティブフェースプレート９とを重ね合わせたものによって形成されてもよい。
【００２７】
スクリーン７は、例えば、（「薄膜トランジスタ」技術を使用したＴＦＴディスプレイを備える。
【００２８】
静電容量タッチセンシティブフェースプレート９は、スクリーン７上に配置されるように透明であり、かつ、入力手段としての役割を果たす。静電容量タッチセンシティブフェースプレート９は、例えば、ＩＴＯ技術により作られ、すなわち、例えば、ガラス製のものであり、例えば、良好な電導率および光透過性の両方を備えた薄層に、ＩＴＯ（インジウムスズ酸化物）材料を備える。
【００２９】
静電容量タッチセンシティブフェースプレート９により、ユーザが制御表面上を指で押す点の座標を決定することができる。ユーザが指を動かしたり、指で押したりすると、この制御表面に沿って、接触状態にある指の場所および移動に伴って変動する信号が生じる。
【００３０】
この実施例によれば、タッチセンシティブスクリーン３は、無反射ワニスでコーティングされた透明なポリカーボネート部品１１で被覆される。これにより、スクリーン７がオフに切り換えられると、見た目が非常に美しい光沢のある黒色効果が得られる。
【００３１】
スクリーン７の背面上には、例えば、マイクロプロセッサ１２と、車載コンピュータとの接続性要素Ｃ、例えば、ＡＤＣタイプの接続要素とを支持するプリント回路基板１０が配置される。
【００３２】
以下、図１および図２を参照しながら、下部ＰＢについてより詳細に記載する。
【００３３】
タッチセンシティブ制御表面５は、例えば、ユーザ２と対面するように構成された面とは反対の面１５に黒色顔料がコーティングされた薄い透明なポリカーボネート部品１３を備える。
【００３４】
機能的ピクトグラム１７、例えば、エアコン機能やオーディオ機能の制御用ゾーンのような特定の制御ゾーンを示すための機能的ピクトグラムは、部品１３上にレーザスクラッチングによって作成可能であるので、高い生産精度が得られる。
【００３５】
誘電接着剤によって、ユーザ２と対面するように構成された面とは反対の塗装面１５に静電容量フィルム１９が接合されることで、制御表面から静電容量フィルム１９への電荷伝達が可能になる。
【００３６】
このような静電容量フィルムは、国際公開第０２／０８４８７６号パンフレットから知られている。このフィルムは、同様に、透明または不透明でありうる。
【００３７】
これは、単純かつ低コストの解決策である。
【００３８】
プリント回路基板２１上には、ポリカーボネート部品１３のピクトグラムのバックライト用発光ダイオード２３が配置される。
【００３９】
プリント回路基板２１とポリカーボネート部品１３との間のスペーサ２５により、効果的な機械的接続を得るだけでなく、発光ダイオード２３の照明ゾーンを区切ることができる。
【００４０】
また、プリント回路基板２１は、プリント回路基板の背面で、静電容量フィルム１９用の制御回路２７を支持し、電気リンク２９によって静電容量フィルム１９に接続される。
【００４１】
次に、ある制御に対して、例えば、ラジオの音量調節の場合、タッチセンシティブ制御表面は、前記制御表面５を通過する少なくとも１つの回転制御ボタン３１を備える。
【００４２】
したがって、電子制御パネル１により、少なくともオフ状態において、ユーザにとって均質かつ均一な外観を提示しながら、２つの異なる静電容量技術を用いて大きな静電容量制御表面を有することが可能であることを理解されたい。
【００４３】
詳細には、車両がオフに切り換えられるとき、電子制御パネル１は、下部ＰＢに対して、スイッチオフ時にタッチセンシティブスクリーン３の光沢のある外観と完全に適合するつや消し黒色効果を与える。
【００４４】
タッチセンシティブスクリーン３およびタッチセンシティブ制御表面５の両方は、適当なアタッチメント手段によって、例えば、成形によってプラスチックで作られた共通支持体３３に取り付けられる。この支持体は、例えば、タッチセンシティブスクリーン３およびタッチセンシティブ表面５と、ねじ留め、スナップ嵌合および／または接合によるアタッチメント手段とを受け入れるための形状を与える。
【００４５】
タッチセンシティブスクリーン３およびタッチセンシティブ制御表面５は、略連続した制御面を規定するように、同一レベルのＪで連結する共通支持体７上に配置される。
【００４６】
図３には、略図的斜視図が示される。したがって、これにより、電子制御パネル１に設ける必要がある機能性に応じて、自動車メーカーの需要に容易に適応可能である魅力的な電子制御パネルが得られる。
【００４７】
図１から図３の実施例によれば、タッチセンシティブ制御表面５は平坦である。しかしながら、図示していない別の展開例において、タッチセンシティブスクリーン３とタッチセンシティブ制御表面５との間にこのような表面の連続性を維持しながら、タッチセンシティブ制御表面を曲線状にすることができる。
【００４８】
図４は、図１から図３の実施形態とは異なり、タッチセンシティブスクリーン３がタッチセンシティブ制御表面５に囲まれている別の実施形態を示す。
【００４９】
したがって、これにより、タッチセンシティブスクリーン３の下方だけでなく、タッチセンシティブスクリーン３の横および上方にも、低コストのさらなるタッチセンシティブ制御表面が得られる。
【００５０】
したがって、タッチセンシティブスクリーン３およびタッチセンシティブ表面５の情報およびタッチセンシティブコントロールを組み合わせることができる。
【図１】
0006022467.tif 000002
【図２】
0006022467.tif 000003
【図３】
0006022467.tif 000004
【図４】
0006022467.tif 000005